(57)【要約】【課題】この発明は、折りたたんだ状態から容易に組み立てることができ、且つ全体的に強度を有するボックスファイルを提供する。【解決手段】この発明のボックスファイル１０は、方形の底面板１６の外周縁に立設板１４，１８が立設され、底面板１６の上方において立設板１４，１８にて囲繞された内側に開口部１２が形成されたボックスファイルであって、一の立設板１４，１８の内面に、一の立設板１４，１８に隣接する他の立設板２２，２４の連結片２６が重ね合わされ、一の立設板１４，１８と他の立設板２２，２４とが連結され、一の立設板の開口端縁は、底面板１６に立設された主板１４Ａ，１８Ａより延設された折り返し片１４Ｂ，１８Ｂが、収納部側に折り返され主板１４Ａ，１８Ａの内面に二重に重ね合わされ、且つ前記一の立設板１４，１８の内面に重ね合わされ、隣接する他の立設板２２，２４の連結片２６の内側面に重ね合わされ固定されている。【選択図】図１
2006026985.tif 000002
【特許請求の範囲】
【請求項１】
方形の底面板の外周縁に立設板が立設され、
底面板の上方において立設板にて囲繞された内側に開口部が形成されたボックスファイルであって、
一の立設板の内面に、一の立設板に隣接する他の立設板の連結片が重ね合わされ、一の立設板と他の立設板とが連結され、
一の立設板の開口端縁は、底面板に立設された主板より延設された折り返し片が、収納部側に折り返され主板の内面に二重に重ね合わされ、且つ前記一の立設板の内面に重ね合わされ、隣接する他の立設板の連結片の内側面に重ね合わされ固定された、
ボックスファイル。
【請求項２】
方形の底面板の外周縁に、正面板と、該正面板と対向する背面板と、前記正面板と背面板との間に架設される側面板とが立設され、
底面板の上方において正面板と、該正面板と対向する背面板と、前記正面板と背面板との間に架設される側面板にて囲繞された内側に開口部が形成されたボックスファイルであって、
正面板および背面板の内面に、正面板および背面板に隣接する側面板の連結片が重ね合わされ、正面板および背面板と側面板とが連結され、
正面板および背面板の開口端縁は、底面板に立設された主板より延設された折り返し片が、収納部側に折り返され主板の内面に二重に重ね合わされ、且つ前記正面板および背面板の内面に重ね合わされ、隣接する側面板の連結片の内側面に重ね合わされ固定された、
請求項１に記載のボックスファイル。
【請求項３】
方形の底面板の外周縁に、第１側面板と、該第１側面板と対向する第２側面板と、前記第１側面板と第２側面板との間に架設される正面板及び該正面板と対向する背面板とが立設され、
底面板の上方において第１側面板と、該第１側面板と対向する第２側面板と、前記第１側面板と第２側面板との間に架設される正面板及び該正面板と対向する背面板にて囲繞された内側に開口部が形成されたボックスファイルであって、
第１側面板及び第２側面板の内面に、第１側面板及び第２側面板に隣接する正面板及び背面板の連結片が重ね合わされ、第１側面板及び第２側面板と正面板及び背面板とが連結され、
第１側面板及び第２側面板の開口端縁は、底面板に立設された主板より延設された折り返し片が、収納部側に折り返され主板の内面に二重に重ね合わされ、且つ前記第１側面板及び第２側面板の内面に重ね合わされ、隣接する正面板及び／または背面板の連結片の内側面に重ね合わされ固定された、
請求項１に記載のボックスファイル。
【請求項４】
正面板と底面板と背面板とを連設した第１箱部材と、前記正面板と背面板との間に架設されるための第１側面板および第２側面板と連結片とを具備する第２箱部材とを含み、
前記第１箱部材は、正面板及び背面板と底面板との境界において、正面板及び背面板が底面板を挟んで正面板の内面と背面板の内面とが対向して立設するための折曲線が形成され、
前記第２箱部材は、第１側面板及び第２側面板が、前記底面板と略同一の幅で少なくとも背面板側は前記背面板と略同一の高さに形成され、第１側面板及び第２側面板に延設された連結片が、正面側に折曲線を介して延設された正面連結片と、背面側に折曲線を介して延設された背面連結片と、底面側に折曲線を介して延設された底面連結片とを備え、
前記底面連結片が、前記第１箱部材の底面板の主面に重ね合わせて固着され、且つ正面連結片が正面板側及び背面連結片が背面板側において、第１側面板及び第２側面板が正面板及び背面板の両側近傍であって外に大きくはみ出さない位置にて重ね合わせ、第１側面板及び第２側面板と正面板及び背面板と固着具で固着されるように形成された、
請求項２に記載のボックスファイル。
【請求項５】
第１側面板と第２側面板との間に架設されるための正面板および背面板と底面連結片とを連設した第１箱部材と、
第１側面板および第２側面板と底面板とを具備する第２箱部材とを含み、
前記第１の箱部材は、正面板及び背面板と底面連結片との境界において、正面板及び背面板が底面連結片を挟んで正面板の内面と背面板の内面とが対向して立設するための折曲線が形成され、且つ連結片が、正面板及び背面板の側面板側に折曲線を介して延設された側面連結片と、底面側に折曲線を介して延設された底面連結片とを備え、
前記第２の箱部材は、第１側面板と第２側面板とが、底面板との境界において、底面板を挟んで第１側面板と第２側面板の内面が対向して立設するための折曲線が形成され、
前記底面連結片は、前記第２箱部材の底面板の主面に重ね合わせて固着され、且つ側面連結片は、第１側面板及び第２側面板の内側において、正面板及び背面板が第１側面板及び第２側面板の前後側近傍であって外に大きくはみ出さない位置にて重ね合わせ、第１側面板及び第２側面板と固着具で固着されるように形成された、
請求項３に記載のボックスファイル。
【発明の詳細な説明】
【技術分野】
【０００１】
この発明は、種々の書類やファイルなどを収納し、保管することができるボックスファイルに関し、特に例えば、運搬や不使用時には折り畳むことができ、且つ使用時には簡単に組み立てることができるボックスファイルに関する。
【背景技術】
【０００２】
従来、梱包された状態で流通される時には折り畳まれ、使用時には折り畳まれた状態からワンタッチで箱体を形成するようにしたボックスファイルがある。
【０００３】
【特許文献１】特許第２７７６２５４号公報
【特許文献２】特許第２７２９５９７号公報
【発明の開示】
【発明が解決しようとする課題】
【０００４】
この従来のボックスファイルは、いずれもワンタッチの組み立て及びワンタッチの折り畳みが可能なものであるが、折り畳みを容易にするために、比較的軟質な素材をもって形成されている。
そのために、全体的にそれほど強固な構造とはならず、特に開口部近傍において湾曲したり折れ曲がったりしやすく、耐久性に乏しいというきらいがある。
それゆえに、この発明の主たる目的は、折りたたんだ状態から容易に組み立てることができ、且つ全体的に強度を有するボックスファイルを提供することである。
【課題を解決するための手段】
【０００５】
この発明の請求項１にかかるボックスファイルは、方形の底面板の外周縁に立設板が立設され、底面板の上方において立設板にて囲繞された内側に開口部が形成されたボックスファイルであって、一の立設板の内面に、一の立設板に隣接する他の立設板の連結片が重ね合わされ、一の立設板と他の立設板とが連結され、一の立設板の開口端縁は、底面板に立設された主板より延設された折り返し片が、収納部側に折り返され主板の内面に二重に重ね合わされ、且つ前記一の立設板の内面に重ね合わされ、隣接する他の立設板の連結片の内側面に重ね合わされ固定された、ボックスファイルである。
この発明の請求項２にかかるボックスファイルは、方形の底面板の外周縁に、正面板と、該正面板と対向する背面板と、前記正面板と背面板との間に架設される側面板とが立設され、底面板の上方において正面板と、該正面板と対向する背面板と、前記正面板と背面板との間に架設される側面板にて囲繞された内側に開口部が形成されたボックスファイルであって、正面板および背面板の内面に、正面板および背面板に隣接する側面板の連結片が重ね合わされ、正面板および背面板と側面板とが連結され、正面板および背面板の開口端縁は、底面板に立設された主板より延設された折り返し片が、収納部側に折り返され主板の内面に二重に重ね合わされ、且つ前記正面板および背面板の内面に重ね合わされ、隣接する側面板の連結片の内側面に重ね合わされ固定された、請求項１に記載のボックスファイルである。
この発明の請求項３にかかるボックスファイルは、方形の底面板の外周縁に、第１側面板と、該第１側面板と対向する第２側面板と、前記第１側面板と第２側面板との間に架設される正面板及び該正面板と対向する背面板とが立設され、底面板の上方において第１側面板と、該第１側面板と対向する第２側面板と、前記第１側面板と第２側面板との間に架設される正面板及び該正面板と対向する背面板にて囲繞された内側に開口部が形成されたボックスファイルであって、第１側面板及び第２側面板の内面に、第１側面板及び第２側面板に隣接する正面板及び背面板の連結片が重ね合わされ、第１側面板及び第２側面板と正面板及び背面板とが連結され、第１側面板及び第２側面板の開口端縁は、底面板に立設された主板より延設された折り返し片が、収納部側に折り返され主板の内面に二重に重ね合わされ、且つ前記第１側面板及び第２側面板の内面に重ね合わされ、隣接する正面板及び／または背面板の連結片の内側面に重ね合わされ固定された、請求項１に記載のボックスファイルである。
この発明の請求項４にかかるボックスファイルは、正面板と底面板と背面板とを連設した第１箱部材と、前記正面板と背面板との間に架設されるための第１側面板および第２側面板と連結片とを具備する第２箱部材とを含み、前記第１箱部材は、正面板及び背面板と底面板との境界において、正面板及び背面板が底面板を挟んで正面板の内面と背面板の内面とが対向して立設するための折曲線が形成され、前記第２箱部材は、第１側面板及び第２側面板が、前記底面板と略同一の幅で少なくとも背面板側は前記背面板と略同一の高さに形成され、第１側面板及び第２側面板に延設された連結片が、正面側に折曲線を介して延設された正面連結片と、背面側に折曲線を介して延設された背面連結片と、底面側に折曲線を介して延設された底面連結片とを備え、前記底面連結片が、前記第１箱部材の底面板の主面に重ね合わせて固着され、且つ正面連結片が正面板側及び背面連結片が背面板側において、第１側面板及び第２側面板が正面板及び背面板の両側近傍であって外に大きくはみ出さない位置にて重ね合わせ、第１側面板及び第２側面板と正面板及び背面板と固着具で固着されるように形成された、請求項２に記載のボックスファイルである。
この発明の請求項５にかかるボックスファイルは、第１側面板と第２側面板との間に架設されるための正面板および背面板と底面連結片とを連設した第１箱部材と、第１側面板および第２側面板と底面板とを具備する第２箱部材とを含み、前記第１の箱部材は、正面板及び背面板と底面連結片との境界において、正面板及び背面板が底面連結片を挟んで正面板の内面と背面板の内面とが対向して立設するための折曲線が形成され、且つ連結片が、正面板及び背面板の側面板側に折曲線を介して延設された側面連結片と、底面側に折曲線を介して延設された底面連結片とを備え、前記第２の箱部材は、第１側面板と第２側面板とが、底面板との境界において、底面板を挟んで第１側面板と第２側面板の内面が対向して立設するための折曲線が形成され、前記底面連結片は、前記第２箱部材の底面板の主面に重ね合わせて固着され、且つ側面連結片は、第１側面板及び第２側面板の内側において、正面板及び背面板が第１側面板及び第２側面板の前後側近傍であって外に大きくはみ出さない位置にて重ね合わせ、第１側面板及び第２側面板と固着具で固着されるように形成された、請求項３に記載のボックスファイルである。
【発明の効果】
【０００６】
請求項１ないし３の発明によれば、折り畳んだ状態から容易に組み立てることができ、且つ全体的に強度があるボックスファイルを得ることができる。
請求項４及び５の発明によれば、折り畳んだ状態からより一層容易に組み立てることができ、且つ全体的に強度のあるボックスファイルを得ることができる。
【０００７】
この発明の上述の目的、その他の目的、特徴および利点は、図面を参照して行う以下の発明を実施するための最良の形態の説明から一層明らかとなろう。
【発明を実施するための最良の形態】
【０００８】
図１は、この発明の一実施の形態であるボックスファイルの斜視図解図である。
図２は、図１図示Ａ−Ａ断面図である。図３は、第１箱部材の平面図解図である。図４は、第２箱部材の平面図解図である。図５は、第１箱部材と第２箱部材とを組み合せた状態の斜視図解図である。図６は、ボックスファイルの組み立て方を示す斜視図解図である。図７は、ボックスファイルの組み立て方を示す斜視図解図である。図８は、ボックスファイルの組み立て方を示す斜視図解図である。図９は、ボックスファイルの折り畳んだ状態を示す斜視図解図である。図１０は、ボックスファイルの折り畳んだ状態を示す斜視図解図である。図１１及び図１２は、第１箱部材と第２箱部材との固定の方法を示す斜視図解図である。
【０００９】
このボックスファイル１０は、その上部が開放された横長の箱型で上部開口部１２よりボックスファイル１０内に書類やファイルなどを入れることができるように構成されたものである。
このボックスファイル１０は、立設板たる横長長方形状の正面板１４と、該正面板１４の下部に連設された立設板たる横長長方形状の底面板１６と、該底面板１６の背面側に連設され前記正面板１４と平行に垂直方向に立設された横長長方形状の背面板１８とを具備する第１箱部材２０を含む。
更に、このボックスファイル１０は、正面板１４とそれと平行に設けられた背面板１８との間に架設され、正面板１４と背面板１８の右端縁において立設板たる右側面板を構成する第１側面板２２および正面板１４と背面板１８の左端縁において立設板たる左側面板を構成する第２側面板２４と、該第１側面板２２および第２側面板２４と前記第１箱部材２０の正面板１４、底面板１６および背面板１８とを連結する連結片２６とを具備する第２箱部材２８を含む。第１側面板２２及び第２側面板２４は、正面視略五角形で正面側はその中央部分が正面板１４より高く、背面側は背面板１８と略々同一の高さを備え、前記底面板１６と同一の幅を備えている。
【００１０】
第１箱部材２０は、図１８に示すように、正面板領域１４Ｘと底面板領域１６Ｘと背面板領域１８Ｘとを有する芯材３０と、前記芯材３０の表面から裏面に亘って該芯材３０をくるむように貼られた表装材３２とからなり、表装材３２の裏面側の端縁を覆うように芯材３０の裏面に貼着された見返し紙３４とを含む。
【００１１】
第１箱部材２０は、正面板１４および背面板１８と底面板１６との境界において折り曲げて、正面板１４および背面板１８が底面板１６を挟んで正面板１４の内面と背面板１８の内面とが対向して立設するための直線状の折曲線３６および直線状の折曲線３８がそれぞれ平行となるように形成されている。
【００１２】
正面板１４と底面板１６との境界において形成された折曲線３６および背面板１８と底面板１６との境界において形成された折曲線３８は、第１箱部材２０の幅方向において左端縁から右端縁に亘って連続して形成され、底面板１６と正面板１４および背面板１８とを区画するとともに芯材３０、表装材３２および見返し紙３４を折り曲げることができるように構成されている。
【００１３】
正面板１４は、正面形状が組み立てられたときの正面板１４と略々同一の形状の正面主板１４Ａと、該正面主板１４Ａの上部に折曲線１４Ｃを介して延設された正面折り返し片１４Ｂとを備えている。正面主板１４Ａと正面折り返し片１４Ｂとは、同一の幅を有する長方形状で、正面主板１４Ａの左右の端縁と正面折り返し片１４Ｂの左右の端縁とは一直線状に形成されている。
背面板１８は、正面形状が組み立てられたときの背面板１８と略々同一の形状の背面主板１８Ａと、該背面主板１８Ａの上部に折曲線１８Ｃを介して延設された背面折り返し片１８Ｂとを備えている。背面主板１８Ａと背面折り返し片１８Ｂとは、同一の幅を有する長方形状で、正面主板１４Ａの左右の端縁と正面折り返し片１４Ｂの左右の端縁とは一直線状に形成されている。
そして、折曲線１４Ｃは、正面主板１４Ａ及び正面折り返し片１４Ｂの左右の端縁と直交し、折曲線１８Ｃは、背面主板１８Ａ及び背面折り返し片１８Ｂの左右の端縁と直交して、芯材３０、表装材３２および見返し紙３４を折り曲げることができるように構成されている。したがって、正面主板１４Ａの左右の端縁と正面折り返し片１４Ｂの左右の端縁とは略重なり、また、背面主板１８Ａの左右の端縁と背面折り返し片１８Ｂの左右の端縁とは略重なる。
【００１４】
正面板１４及び背面板１８の開口端縁は、底面板１６に立設された正面主板１４Ａ及び背面主板１８Ａより延設された正面折り返し片１４Ｂ及び背面折り返し片１８Ｂが、収納部側に折り返され、正面主板１４Ａと正面折り返し片１４Ｂの左右の端縁及び背面主板１８Ａと背面折り返し片１８Ｂの左右の端縁がそれぞれ略直線状に揃うようにして正面主板１４Ａ及び背面主板１８Ａの内面に二重に重ね合わされるとともに、第１側面板２２及び第２側面板２４の正面連結片４８及び背面連結片５２の内側面に重ね合わされ、固定されることによって形成される。
【００１５】
第２箱部材２８は、一方の側面板（右側面板）を構成する略々縦長五角形状の第１側面板２２およびそれと対向する他方の側面板（左側面板）を構成する略々縦長五角形状の第２側面板２４が、前記第１箱部材２０の底面板１６と略々同一の幅で、背面側は背面板１８と略々同一の高さで、正面側に向けて同一で略３分の２程形成された水平の上端縁と、更に正面側に向けて低くなる、すなわち、該水平の上端縁より正面側に向かうにしたがって傾斜した傾斜端縁を備える略五角形に形成されている。そして、該傾斜端縁によって開口部１２の正面側に向かうにしたがって広く開口して、正面板１４の上部が広く開口するように構成されている。
【００１６】
連結片２６は、第１側面板２２および第２側面板２４の正面側に折曲線４６を介して連設された正面連結片４８と、背面側に折曲線５０を介して連設された背面連結片５２と、底面側に折曲線５４を介して連設された底面連結片５６とを含み、第１側面板２２と第２側面板２４とは底面連結片５６によって連結されている。
【００１７】
第１側面板２２および第２側面板２４の正面側に連設された正面連結片４８は、第１側面板２２および第２側面板２４の高さ方向において第１側面板２２および第２側面板２４と同一の長さを備え、第１側面板２２および第２側面板２４の上端から下端に亘って連続して形成されている。
開口部１２を形成する正面連結片４８の上端縁４８ｃ及び４８ｄは、その先端に向かうに従って下がる傾斜縁で、該上端縁と下端縁とは先端に向かうに従ってその幅が狭くなり、全体が略台形状に形成されている。
【００１８】
背面連結片５２は、第１側面板２２および第２側面板２４とその高さ方向において略々同一の長さを備え、第１側面板２２および第２側面板２４の上端から下端に亘って連続して形成されている。開口部１２を形成する背面連結片５２の上端縁５２ｃ及び５２ｄは、その先端に向かうに従って下がる傾斜縁で、該上端縁と下端縁とは先端に向かうに従ってその幅が狭くなり、全体が略台形状に形成されている。
【００１９】
底面連結片５６は、第１側面板２２の下部に折曲線５４ａを介して連設され且つ第２側面板２４の下部に折曲線５４ｂを介して連設されている。
底面連結片５６は、底面板１６の幅に対応する幅を有し、前記折曲線５４に連続して背面側端縁５６ｂより正面側端縁５６ａに亘って折曲線５８が形成された、平面略長方形状の板体である。底面連結片５６は、背面側端縁５６ｂの折曲線５４近傍から正面側端縁５６ａの中間部分に亘って、背面側端縁５６ｂと略４５°の角度を作る斜め折曲線５８が形成されている。
底面連結片５６は、直線状正面側端縁５６ａと直線状背面側端縁５６ｂとが平行で、折曲線５４ａと折曲線５４ｂとが直線状正面側端縁５６ａ及び直線状背面側端縁５６ｂと直交するように形成されている。
【００２０】
第１側面板２２とそれに連設された正面連結片４８（４８ａ）との間の折曲線４６（４６ａ）は、折曲線５４ａと直交し、折曲線５４ａで折り曲げ第１側面板２２を底面連結片５６と直交するように立てたとき、第１側面板２２の内面と正面板１４の内面とが直交して正面連結片４８ａの外面と正面主板１４Ａの内面とが重ね合わされるように、内側に折り曲げ可能に形成されている。正面主板１４Ａの高さと、第１側面板２２及び正面連結片４８ａの折曲線４６ａ近傍の高さとは一致し、折曲線４６ａの長さと正面主板１４Ａの高さとは一致している。
また、第１側面板２２に連設された底面連結片５６に形成された折曲線５８（５８ａ）は、底面連結片５６の内側面同士が対向して重ね合わされるように内側に折り曲げ可能に形成されている。
したがって、第１側面板２２は、第１側面板２２と正面連結片４８（４８ａ）との間に形成された折曲線４６（４６ａ）において内側に折り曲げ可能であり、且つ底面連結片５６に形成された前記折曲線５０（５０ａ）に連続する折曲線５８（５８ａ）によって底面連結片５６が内側に向けて底面連結片５６の内側面が対向するように重ね、折り畳み可能であるので、第１の側面板２２は正面板１４と対向して重ね合わせることができる。
【００２１】
第２側面板２４とそれに連設された正面連結片４８（４８ｂ）との間の折曲線４６（４６ｂ）は、折曲線５４ｂと直交し、折曲線５４ｂで折り曲げ第２側面板２４を底面連結片５６と直交するように立てたとき、第２側面板２４の内面と正面板１４の内面とが直交して正面連結片４８ｂの外面と正面主板１４Ａの内面とが重ね合わされるように、内側に折り曲げ可能に形成されている。正面主板１４Ａの高さと、第２側面板２４及び正面連結片４８ｂの折曲線４６ｂ近傍の高さとは一致し、折曲線４６ｂの長さと正面主板１４Ａの高さとは一致している。
また、第２側面板２４に連設された底面連結片５６に形成された折曲線５８（５８ｂ）は、底面連結片５６の内側面同士が対向して重ね合わされるように内側に折り曲げ可能に形成されている。
したがって、第２側面板２４は、第２側面板２４と背面連結片５２（５２ｂ）との間に形成された折曲線５０（５０ｂ）において内側に折り曲げ可能であり、且つ底面連結片５６に形成された前記折曲線５０（５０ｂ）に連続する折曲線５８（５８ｂ）によって底面連結片５６が内側に向けて底面連結片５６の内側面が対向するように重ね、折り畳み可能であるので、第２側面板２４は背面板１８と対向して重ね合わせることができる。
【００２２】
第１側面板２２とそれに連設された背面連結片５２（５２ａ）との間の折曲線５０（５０ａ）は、折曲線５４ａと直交し、折曲線５４ａで折り曲げ第１側面板２２を底面連結片５６と直交するように立てたとき、第１側面板２２の内面と背面板１８の内面とが直交して背面連結片５２ａの外面と背面主板１８Ａの内面とが重ね合わされるように、内側に折り曲げ可能に形成されている。背面主板１８Ａの高さと、第１側面板２２及び背面連結片５２ａの折曲線５０ａ近傍の高さとは一致し、折曲線５０ａの長さと背面主板１８Ａの高さとは一致している。
また、第１側面板２２に連設された底面連結片５６に形成された折曲線５８（５８ａ）は、底面連結片５６の内側面同士が対向して重ね合わされるように内側に折り曲げ可能に形成されている。
したがって、第１側面板２２は、第１側面板２２と背面連結片５２（５２ａ）との間に形成された折曲線５０（５０ａ）において内側に折り曲げ可能であり、且つ底面連結片５６に形成された前記折曲線５０（５０ａ）に連続する折曲線５８（５８ａ）によって底面連結片５６が内側に向けて底面連結片５６の内側面が対向するように重ね、折り畳み可能であるので、第１の側面板２２は背面板１８と対向して重ね合わせることができる。
【００２３】
第２側面板２４とそれに連設された背面連結片５２（５２ｂ）との間の折曲線５０（５０ｂ）は、折曲線５４ｂと直交し、折曲線５４ｂで折り曲げ第２側面板２４を底面連結片５６と直交するように立てたとき、第２側面板２４の内面と背面板１８の内面とが直交して背面連結片５２ｂの外面と背面主板１８Ａの内面とが重ね合わされるように、内側に折り曲げ可能に形成されている。背面主板１８Ａの高さと、第２側面板２４及び背面連結片５２ｂの折曲線５０ｂ近傍の高さとは一致し、折曲線５０ｂの長さと背面主板１８Ａの高さとは一致している。
また、第２側面板２４に連設された底面連結片５６に形成された折曲線５８（５８ｂ）は、底面連結片５６の内側面同士が対向して重ね合わされるように内側に折り曲げ可能に形成されている。
したがって、第２側面板２４は、第２側面板２４と背面連結片５２（５２ｂ）との間に形成された折曲線５０（５０ｂ）において内側に折り曲げ可能であり、且つ底面連結片５６に形成された前記折曲線５０（５０ｂ）に連続する折曲線５８（５８ｂ）によって底面連結片５６が内側に向けて底面連結片５６の内側面が対向するように重ね、折り畳み可能であるので、第２側面板２４は背面板１８と対向して重ね合わせることができる。
【００２４】
第２箱部材２８は、第１箱部材２０の底面板１６の内側面に、第２箱部材２８の底面連結片５６の外側面が重ね合わされて、鋲ないし接着剤によって固着されている。
この実施の形態においては、底面連結片５６の折曲線５８ａと折曲線５８ｂで囲繞された台形状の領域内に、４つの貫通孔８２が穿設されている。そして、この４つの貫通孔８２と該貫通孔８２に対応した位置において背面板１６に穿設された貫通孔８０とを合わせ、該貫通孔８０および貫通孔８２に鋲８４の足を嵌挿し、底面板１６の内側面と底面連結片５６の外側面とが鋲８４の頭部をもって固定されて、第１箱部材２０の底面板１６と第２箱部材２８の底面連結片５６とが固着されている。
【００２５】
そして、第２箱部材２８の背面連結片５２（５２ａ，５２ｂ）と第１箱部材２０の背面板１８とは固定され、且つ第２箱部材２８の正面連結片４８（４８ａ，４８ｂ）と第１箱部材２０の正面板１４とが切り離された状態で折り畳まれる。
【００２６】
正面板１４の右側縁近傍には、高さ方向に２箇所に分かれて適宜な間隔をおいて２つの貫通孔６０ａおよび６２ａが穿設され、且つ正面板１４の左側縁近傍には、高さ方向に２箇所に分かれて適宜な間隔をおいて２つの貫通孔６０ｂおよび６２ｂが穿設されている。
また、正面板１４の内側面に固定される正面連結片４８にも、第１側面板２２側は、その右側縁近傍において前記正面板１４の貫通孔６０ａおよび６２ａと同様な位置（高さ方向の位置および幅方向の位置において正面板の貫通孔６０ａおよび６２ａと対応する位置）に貫通孔６４ａが穿設され、且つ第２側面板２４側は、その左側縁近傍において前記正面板１４の貫通孔６０ｂおよび６２ｂと同様な位置（高さ方向の位置および幅方向の位置において正面板の貫通孔６０ｂおよび６２ｂと対応する位置）に貫通孔６４ｂが穿設されている。
【００２７】
背面板１８の右側縁近傍には、高さ方向において適宜な間隔をおいて２つの貫通孔６８ａおよび貫通孔７０ａが穿設され、且つ左側縁近傍には、高さ方向において適宜な間隔をおいて２つの貫通孔６８ｂおよび貫通孔７０ｂが穿設されている。
また、背面板１８の内側面に固着される背面連結片５２にも、第１側面板２２側は、その端縁近傍において前記背面板１８の貫通孔６８ａおよび貫通孔７０ａと同様な位置（高さ方向の位置および幅方向の位置において背面板の貫通孔６８ａおよび７０ａと対応する位置）において、貫通孔７２ａが穿設され、且つ第２側面板２４側は、その端縁近傍において前記背面板１８の貫通孔６８ｂおよび貫通孔７０ｂと同様な位置（高さ方向の位置および幅方向の位置において背面板の貫通孔６８ｂおよび７０ｂと対応する位置）において、貫通孔７２ｂおよびが穿設されている。
なお、この実施の形態においては、正面板１４の貫通孔６０ａ，６２ａ，６０ｂ、６２ｂおよび正面連結片４８に形成された貫通孔６４ａ，６４ｂと背面板１８の貫通孔６８ａ，７０ａ，６８ｂ，７０ｂおよび背面連結片５２に穿設された貫通孔７２ａ，７２ｂとは、高さ方向における位置および幅方向における位置が異なるように形成されている。
【００２８】
そして、このボックスファイル１０を組み立てる時に、第１側面板２２を第１箱部材２０に取り付けるためには、第１箱部材２０の正面主板１４Ａの内側面に第２箱部材２８の正面連結片４８ａの外側面を重ね合わせ、且つ正面折り返し片１４Ｂを折曲線１４Ｃで折り曲げて正面連結片４８ａの内側面に重ね合わせ、正面主板１４Ａ、正面折り返し片１４Ｂおよび正面連結片４８ａのそれぞれの表面を重ね合わせるとともに、正面板１４の貫通孔６０ａおよび貫通孔６２ａと正面連結片４８ａの貫通孔６４ａとを合わせ、別途準備した固着具９０によって第１側面板２２が正面板１４および背面板１８の右側縁からはみ出さず揃う位置において固着する。
【００２９】
さらに、第２側面板２４を第１箱部材２０に取り付けるためには、第１箱部材２０の正面板１４の内側面に第２箱部材２８の正面連結片４８ｂの外側面を重ね合わせ、且つ正面折り返し片１４Ｂを折曲線１４Ｃで折り曲げて正面連結片４８ｂの内側面に重ね合わせ、正面主板１４Ａ、正面折り返し片１４Ｂおよび正面連結片４８ｂのそれぞれの表面を重ね合わせるとともに、正面板１４の貫通孔６０ｂおよび貫通孔６２ｂと正面連結片４８ｂの貫通孔６４ｂとを合わせ、別途準備した固着具９０によって第２側面板２４が正面板１４および背面板１８の左側縁からはみ出さず揃う位置において固着する。
【００３０】
また、第１箱部材２０の背面主板１８Ａの内側面に第２箱部材２８の背面連結片５２（５２ａ）の外側面を重ね合わせ、且つ背面折り返し片１８Ｂを折曲線１８Ｃで折り曲げて、背面主板１８Ａの内側面及び背面連結片５２（５２ａ）の内側面に背面板１８の外側面を重ね合わせるとともに、背面板１８の貫通孔６８ａおよび貫通孔７０ａと背面連結片５２ａの貫通孔７２ａとを合わせ、第１側面板２２の右端縁が背面板１８の右端縁よりはみ出さず揃う位置において、貫通孔６８ａおよび貫通孔７０ａと貫通孔７２ａとに固着具９０を嵌挿して、背面主板１８Ａと背面連結片５２ａと背面折り返し片１８Ｂを固着する。
【００３１】
さらに、第１箱部材２０の背面板１８の内側面に第２箱部材２８の背面連結片５２（５２ｂ）の外側面を重ね合わせ、且つ背面折り返し片１８Ｂを折曲線１８Ｃで折り曲げて、背面主板１８Ａの内側面及び背面連結片５２（５２ｂ）の内側面に背面板１８の外側面を重ね合わせるとともに、背面板１８の貫通孔６８ｂおよび貫通孔７０ｂと背面連結片５２ｂの貫通孔７２ｂとを合わせ、第２側面板２４の左端縁が背面板１８の左端縁よりはみ出さず揃う位置において、貫通孔６８ｂおよび貫通孔７０ｂと貫通孔７２ｂとに固着具９０を嵌挿して、背面主板１８Ａと背面連結片５２ｂと背面折り返し片１８Ｂとを固着する。
【００３２】
固着具９０は、図１３ないし１６において示すように、平面円形状で半球状の頭部９２の中央より円柱状脚部９４が突出され、脚部９４の先端に２つ割りになった先端を有する球状の膨出部９６が形成された鋲９８と、該鋲９８の脚部９４に嵌合される固着片１００とからなる。
固着片１００は、その中央に前記鋲９８の膨出部９６より小さな径の貫通孔１０２が形成され、膨出部９６の２つ割り状になった部位の間隔を縮めるようにして貫通孔１０２に膨出部９６を嵌挿し、固着具９０の脚部９４に嵌め込むように構成されている。
嵌挿された鋲９８の膨出部９６は、固着片１００の貫通孔１０２の周縁の台座１０４に固定される。
【００３３】
この実施の形態においては、折り畳み時には、第１箱部材２０の底面板１６と第１側面板２２の底面連結片５６ａおよび第２側面板２４の底面連結片５６ｂとを鋲８４で固着し、且つ、第１箱部材２０の背面板１８（背面主板１８Ａおよび背面折り返し片１８Ｂ）と第１側面板２２の背面連結片５２ａおよび第２側面板２４の背面連結片５２ｂとが固着具９０で固着されており、第１箱部材２０の正面板１４（正面主板１４Ａおよび正面折り返し片１４Ｂ）と第１側面板２２の正面連結片４８ａおよび第２側面板２４の正面連結片４８ｂとが分離された状態に組み立てられたノックダウン型とされている。
折り畳み時には、第２箱部材２８の斜め折曲線５８ａ，５８ｂを内折り、すなわち、第１側面板２２および第２側面板２４が背面板１８に重ね合わされるように折り曲げ、且つ第１箱部材２０の正面板１４と底面板１６との間に折曲線３６を内折り、すなわち、正面板１４の内面を底面板１６の内面とが対向するように折り曲げて、コンパクトな形状とする。
一方、使用者が折り畳み状態にあるボックスファイル１０を組み立てて用いるときは、第１側面板２２および第２側面板２４を手前に引き、背面板１８を起こして、底面板１６より垂直に立てる。
そして、前記したように、正面板１４（正面主板１４Ａおよび正面折り返し片１４Ｂ）と正面連結片４８ａおよび４８ｂとを固着具９０で固着すれば、ボックス型となり、組み立てが完了する。
【００３４】
次に、この第１箱部材２０および第２箱部材２８の製法について、主として図１７ないし図２０に基づいて説明する。
まず、第１箱部材２０について説明すると、第１箱部材２０を構成する正面板１４に対応した正面板領域１４Ｘ、底面板１６に対応した底面板領域１６Ｘおよび背面板１８に対応した背面板領域１８Ｘを合わせた形状のチップボール製芯材３０を準備する（図１７参照）。
そして、その芯材３０の表面に綿生地からなり芯材３０より外側に同一の幅ではみ出る略長方形の（芯材３０と相似形の）表装材３２を準備し、該表装材３２を芯材３０の表面に接合接着し、且つ芯材３０の周縁より裏面に亘って芯材３０をくるむように表装材３２の端縁近傍を折り返し、芯材３０の裏面に貼着する（図１８参照）。
さらに、表装材３２は、芯材３０の端縁よりわずかに内側に入った位置にまで貼られているので、芯材３０の裏面側と表装材３２の外周縁とを覆うように、見返し紙３４を表装材３２の裏面側を含め貼着する（図１９参照）。
【００３５】
次に、芯材３０を正面板１４と底面板１６と背面板１８とに区画するために、折曲線３６および折曲線３８をそれぞれが平行となるように入れるとともに貫通孔６０ａ，６２ａ，６０ｂ，６２ｂを穿設する。
折曲線３６および３８は、表装材３２が貼着された芯材３０の表面側から裏面側に向けて、トムソン刃１１０によって型押しして細い筋を凹設することにより、比較的硬質の芯材３０を内側（裏面側）に折り曲げるための折曲線３６および３８が形成される（図２０参照）。
而して、第１箱部材２０が完成する。
【００３６】
第２箱部材２８は、プラスチック板により製造するが、第１側面板２２および第２側面板２４と底面連結片５６とを合わせた大きさよりも大きなプラスチック板を準備する。
そして、プラスチック板をトムソン加工によって第１側面板２２、第２側面板２４及び底面連結片５６を合わせた大きさに裁断するとともに、正面連結片４８、背面連結片５２及び底面連結片５６を形成するために、折曲線４６，５０および５４を入れるトムソン加工を施すとともに貫通孔６４ａ，６４ｂ，７２ａ，７２ｂおよび８２を穿設する穿孔加工も同時に施す。
折曲線４６，５０および５４は、プラスチック板の表面側から裏面側に向けて、トムソン刃１１０によって型押しして細い筋を凹設することにより、比較的硬質のプラスチック板を内側（裏面側）に折り曲げるための折曲線４６，５０および５４が形成される。
【００３７】
この前記の形態においては、底面連結片５６は、一体的に形成されたが、第１側面板２４側に第１の底面連結片５６ａと第２側面板２４側に第２の底面連結片５６ｂとが成形され、第１箱部材２０の底面板１６の中央付近で底面連結片５６の内側端縁が向き合うようにして、底面板１６の内側面に固着されるようにしてもよい。
したがって、底面板１６は、その内側面をほぼ前面に亘って重ね合わされた底面連結片５６とによる二重底を構成している。
そのために、より底面板１６が強固となり、多少重量のあるものをこのボックスファイル１０に収容してもその重量に耐えることができる。
【００３８】
この発明は、前記実施の形態に限らず、この発明の思想に基づき種々変形することが可能である。
【００３９】
図２１は、この発明の一実施の形態であるボックスファイルの斜視図解図であり、図２２は図２１図示ボックスファイルを背面から見た斜視図解図である。
図２３は、図２１図示Ｂ−Ｂ断面図であり、図２４は図２１図示Ｃ−Ｃ断面図である。図２５は、第１箱部材の平面図解図である。図２６は、第２箱部材の平面図解図である。図２７は、第１箱部材と第２箱部材とを組み合せた状態の斜視図解図である。図２８は、ボックスファイルの組み立て方を示す斜視図解図である。図２９は、ボックスファイルの組み立て方を示す斜視図解図である。図３０は、ボックスファイルの組み立て方を示す斜視図解図である。図３１は、ボックスファイルの組み立て方を示す斜視図解図である。図３２は、ボックスファイルの折り畳んだ状態を示す斜視図解図である。図３３は、ボックスファイルの折り畳んだ状態を示す斜視図解図である。図３４は、ボックスファイルの折り畳んだ状態を示す斜視図解図である。
【００４０】
このボックスファイル２１０は、その上部が開放された縦長の箱型で後部よりも前部の方が背が低く開口部部分を広くした箱型であり、上部開口部２１２よりボックスファイル２１０内に書類やファイルなどを入れることができるように構成されたものである。
このボックスファイル２１０は、立設板たる横長長方形状の正面板２１４と、該正面板２１４の下部に連設された立設板たる縦長長方形状の底面板２１６と、該底面板２１６の背面側に連設され前記正面板２１４と平行に垂直方向に立設された縦長長方形状の背面板２１８を具備する第１箱部材２２０を含む。第１箱部材２２０は、立設板たる右側面板を構成する第１側面板２２２および立設板たる左側面板を構成する第２側面板２２４と正面板２１４、底面板２１６および背面板２１８とを連結する連結片２２６を具備する。
正面板２１４は、背面板２１８の高さと比して約５分の１程度の高さである。
【００４１】
更に、このボックスファイル２１０は、正面板２１４とそれと平行に設けられた背面板２１８との間に架設され、正面板２１４と背面板２１８の右端縁において右側面板を構成する第１側面板２２２および正面板２１４と背面板２１８の左端縁において左側面板を構成する第２側面板２２４を具備する第２箱部材２２８を含む。
第１側面板２２２及び第２側面板２２４は、正面視略五角形でボックスファイル２１０の正面側は正面板２１４と略同一の高さで、ボックスファイル２１０の背面側は背面板２１８と略々同一の高さを備え、且つ前記底面板２１６と同一の幅を備えている。
【００４２】
第１箱部材２２０は、正面板２１４および背面板２１８と底面板２１６との境界において折り曲げて、正面板２１４および背面板２１８が底面板２１６を挟んで正面板２１４の内面と背面板２１８の内面とが対向して立設するための直線状の折曲線２３６および直線状の折曲線２３８がそれぞれ平行となるように形成されている。
【００４３】
正面板２１４と底面板２１６との境界において形成された折曲線２３６および背面板２１８と底面板２１６との境界において形成された折曲線２３８は、第１箱部材２２０の幅方向において左端縁から右端縁に亘って連続して形成され、底面板２１６と正面板２１４および背面板２１８とを区画するように構成されている。正面板２１４は、略横長長方形で、底面板２１６は、略縦長長方形で、背面板２１８は、略縦長長方形であり、正面板２１４と底面板２１６と背面板２１８とは、折曲線２３６および折曲線２３８を介して連続しており、底面板２１６の右端縁２１６ａと底面板２１６の左端縁２１６ｂとは平行で、折曲線２３６および折曲線２３８は該右端縁２１６ａおよび左端縁２１６ｂと直交している。
そして、底面板２１６の右端縁２１６ａおよび底面板２１６の左端縁２１６ｂに略々直線状に連続する正面板２１４および背面板２１８の右端縁および左端縁は、連結片２２６が連設されている。
【００４４】
一方の側面板（右側面板）を構成する第１側面板２２２と、それと対向する他方の側面板（左側面板）を構成する第２側面板２２４とは、略同一の形状であり、正面板２１４と連結する正面辺２２２ａ及び２２４ａと、底面板２１６に連続する底面辺２２２ｂ及び２２４ｂと、背面板２１８に連結する背面辺２２２ｃ及び２２４ｃと、正面辺２２２ａ及び２２４ａの上端から背面辺２２２ｃ及び２２４ｃの上端に連結する開口辺２２２ｄ及び２２４ｄとを備え、開口辺２２２ｄ及び２２４ｄは、背面辺２２２ｃ及び２２４ｃから内側に向けて底面辺２２２ｂ及び２２４ｂに平行な水平辺２２２ｅ及び２２４ｅと水平辺２２２ｅ及び２２４ｅに続き正面辺２２２ａ及び２２４ａ迄連続する斜行辺２２２ｆ及び２２４ｆとを有する。
そして、開口辺２２２ｄ及び２２４ｄの斜行辺２２２ｆ及び２２４ｆには、略三角形状の第１側面折り返し片２２２Ｂ及び第２側面折り返し片２２４Ｂが連結して形成されている。
第１側面板２２２及び第２側面板２２４とそれに連続する第１側面折り返し片２２２Ｂ及び第２側面折り返し片２２４Ｂとは、それぞれが、折曲線２２２Ｃ及び２２４Ｃを介して連結された全体が平面正方形の板状体を構成し、前記折曲線２２２Ｃ及び２２４Ｃが第１側面板２２２及び第２側面板２２４の開口辺２２２ｄ及び２２４ｄの斜行辺２２２ｆ及び２２４ｆを形成している。
第１側面折り返し片２２２Ｂは、第１側面主板２２２Ａの正面辺２２２ａに続く直線状第１端縁２２２ｇと、第１側面主板２２２Ａの水平辺２２２ｅに続く直線状第２端縁２２２ｈとを備え、折曲線２２２Ｃを底辺とする直角二等辺三角形を形成するように構成されている。
而して、折曲線２２２Ｃで第１側面折り返し片２２２Ｂを折り返したとき、第１端縁２２２ｇは第１側面主板２２２Ａの背面辺２２２ｃと平行で、第２端縁２２２ｈは直線状の折曲線２５８ａと平行となる。
また、第２側面折り返し片２２４Ｂは、第２側面主板２２４Ａの正面辺２２４ａに続く直線状第１端縁２２４ｇと、第２側面主板２２４Ａの水平辺２２４ｅに続く直線状第２端縁２２４ｈとを備え、折曲線２２４Ｃを底辺とする直角二等辺三角形を形成するように構成されている。
而して、折曲線２２４Ｃで第２側面折り返し片２２４Ｂを折り返したとき、第１端縁２２４ｇは第２側面主板２２４Ａの背面辺２２４ｃと平行で、第２端縁２２４ｈは直線状の折曲線２５８ｂと平行となる。
【００４５】
この第２箱部材２２８は、前記第１箱部材２２０と同様に、第１側面板２２２と第２側面板２２４の第１側面主板２２２Ａおよび第２側面主板２２４Ａと第１側面主板２２２Ａおよび第２側面主板２２４Ａとを構成する領域を有する芯材２３０と、前記芯材２３０の表面から裏面に亘って該芯材２３０をくるむように貼られた表装材２３２とからなり、第２箱部材２２８の芯材２３０側の表面には表装材２３２の裏面側端縁を覆うように見返し紙２３４が貼着されている。
【００４６】
第１箱部材２２０の連結片２２６は、正面板２１４における第１側面板２２２および第２側面板２２４と接続される左右側縁に直線状の折曲線２４６を介して連設された正面連結片２４８と、背面板２１８における第１側面板２２２および第２側面板２２４と接続される左右側縁側に直線状の折曲線２５０を介して連設された背面連結片２５２とを含む。
正面連結片２４８は、第１側面板２２２に接続される第１正面連結片２４８ａと、第２側面板２２４に接続される第２正面連結片２４８ｂとを含み、折曲線（正面板と側面連結片との間）２４６は、正面板２１４と第１正面連結片２４８ａとの間の折曲線２４６ａと、正面板２１４と第２正面連結片２４８ｂとの間の折曲線２４６ｂとを含む。
背面連結片２５２は、第１側面板２２２に接続される第１背面連結片２５２ａと、第２側面板２２４に接続される第２背面連結片２５２ｂとを含み、折曲線（背面板と側面連結片との間）２５０は、背面板２１８と第１背面連結片２５２ａと、背面板２１８と第２正面連結片２５２ｂとの間の折曲線２５０ｂとを含む。
折曲線２４６ａ及び折曲線２５０ａは、底面板２１６の右端縁２１６ａと略々直線状に連続し、折曲線２４６ｂ及び折曲線２５０ｂは、底面板２１６の左端縁２１６ｂと略々直線状に連続している。
【００４７】
正面板２１４の第１側面板２２２および第２側面板２２４に接続される側に連設された正面連結片２４８は、第１側面板２２２および第２側面板２２４の高さ方向において第１側面板２２２および第２側面板２２４の正面辺２２２ａ及び２２４ａと同一の長さを備え、正面板２１４の上端から下端に亘って連設されている。
背面板２１８の第１側面板２２２及び第２側面板２２４に接続される側に連設された背面連結片２５２は、第１側面板２２２および第２側面板２２４の略高さ方向において第１側面板２２２および第２側面板２２４の背面辺２２２ｃ及び２２４ｃと同一の長さを備え、背面板２１８の上端から下端に亘って連設されている。
【００４８】
正面連結片２４８は、垂直の前端縁と該垂直の前端縁より後側に向かうにしたがって高くなるように傾斜した開口部２１２を形成する傾斜端縁を備え、該傾斜端縁により開口部２１２の後側より前側に向かうにしたがって広く開口して、正面板２１４より後方が広く開口するように構成されている。
【００４９】
背面連結片２５２は、垂直の後端縁と該垂直の後端縁より後側に向かうにしたがって高くなるように傾斜した開口部２１２を形成する傾斜端縁を備え、該傾斜端縁により開口部２１２の後側より前側に向かうにしたがって広く開口して、正面板２１４より後方が広く開口するように構成されている。
第１正面連結片２４８ａにおける開口部を形成する傾斜端縁２４８ｃは、第１背面連結片２５２ａにおける開口部を形成する傾斜端縁２５２ｃと、底面板２１６に対する傾き角度が同一で、傾斜端縁２４８ｃの延長線が傾斜端縁２５２ｃに重なるように形成されている。
また、第２正面連結片２４８ｂにおける開口部を形成する傾斜端縁２４８ｄは、第２正面連結片２５２ｂにおける開口部を形成する傾斜端縁２５２ｄと、底面板２１６に対する傾き角度が同一で、傾斜端縁２４８ｄの延長線が傾斜端縁２５２ｄに重なるように形成されている。
【００５０】
底面板２１６は、正面板２１４および背面板２１８の下部に連設されている。
底面板２１６は、底面板２１６の幅に対応する幅を有し、前記折曲線２３８に連続して第２側面板２２４側端縁より第１側面板２２２側端縁に亘って折曲線２５４が形成された、平面略長方形状の板体である。（底面板の）折曲線２５４は、第２側面板２２４側の端縁の折曲線２３８近傍から第１側面板２２２側の端縁の中間部分に亘って、側面板側端縁及び折曲線２４６及び２５０と略４５°の角度をなす直線状で、正面板２１４側の第１斜め折曲線２５４ａと背面板２１８側の第２斜め折曲線２５４ｂとを含み、第１斜め折曲線２５４ａと第２斜め折曲線２５４ｂとは直角をなす。
【００５１】
第１側面板２２２は、側面形状が組み立てられたときの側面板と略々同一の形状の側面主板２２２Ａと該側面主板２２２Ａの上部に折曲線２２２Ｃを介して延設された側面折り返し片２２２Ｂとを備えている。
第２側面板２２４は、側面形状が組み立てられたときの側面板と略々同一の形状の側面主板２２４Ａと該側面主板２２４Ａの上部に折曲線２２４Ｃを介して延設された側面折り返し片２２４Ｂとを備えている。
また、第１側面板２２２は、直線状の折曲線２５８ａを介して底面連結片２５６と連設され、第２側面板２２４は、直線状の折曲線２５８ｂを介して底面連結片２５６と連設されている。
底面連結片２５６は、右端縁２５６ａ及び左端縁２５６ｂが直線状で、右端縁２５６ａと左端縁２５６ｂとはそれぞれ平行で、右端縁２５６ａ及び左端縁２５６ｂと直線状の折曲線２５８ａ及び直線状の折曲線２５８ｂとは直交するように形成されている。
【００５２】
第１側面板２２２及び第２側面板２２４は、底面連結片２５６に立設された第１側面主板２２２Ａ及び第２側面主板２２４Ａより延設された第１側面折り返し片２２２Ｂ及び第２側面折り返し片２２４Ｂが、収納部側に折り返され、第１側面主板２２２Ａ及び第２側面主板２２４Ａの内面に二重に重ね合わされるとともに、正面板２１４の正面連結片２４８及び背面板２１８の背面連結片２５２の内側面に重ね合わされ、固定されるように構成されている。
【００５３】
正面板２１４とそれに連設された正面連結片２４８（第１正面連結片２４８ａ）との間の折曲線２４６（２４６ａ）は直線状で、正面板２１４と直交し正面連結片２４８（第１正面連結片２４８ａ）の内面と第１側面板２２４の内面とが対向して重ね合わされるように、内側に折り曲げ可能に形成されている。
したがって、正面板２１４は、正面板２１４と正面連結片２４８（第１正面連結片２４８ａ）との間に形成された折曲線２４６（２４６ａ）において内側に折り曲げ可能であり、且つ底面板２１６に形成された前記折曲線２３６に連続する折曲線２５４（第１斜め折曲線２５４ａ）によって底面板２１６が内側に向けて底面板２１６の内側面が対向するように重ね、折り畳み可能であるので、正面板２１４は、第１側面板２２２と対向して重ね合わせることができる。
【００５４】
背面板２１８とそれに連設された背面連結片２５２（第１背面連結片２５２ａ）との間の折曲線２５０（２５０ａ）は直線状で、背面板２１８と直交し背面連結片２５２（第１背面連結片２５２ａ）の内面と第１側面板２２２の内面とが対向して重ね合わされるように、内側に折り曲げ可能に形成されている。
したがって、背面板２１８は、背面板２１８と背面連結片２５２（第１背面連結片２５２ａ）との間に形成された折曲線２５０（２５０ａ）において内側に折り曲げ可能であり、且つ底面板２１６に形成された前記折曲線２３８に連続する折曲線２５４（第２斜め折曲線２５４ｂ）によって底面板２１６が内側に向けて底面板２１６の内側面が対向するように重ね、折り畳み可能であるので、背面板２１８は、第１側面板２２２と対向して重ね合わせることができる。
【００５５】
第１箱部材２２０は、第２箱部材２２８の底面連結片２５６の内側面に、第１箱部材２２０の底面板２１６の外側面が重ね合わされて、鋲ないし接着剤によって固着されている。
この実施の形態においては、底面板２１６は、第１斜め折曲線２５４ａと第２斜め折曲線２５４ｂより中央よりのそれらに囲繞された台形状の固定部に４つの貫通孔２８０が穿設されている。そして、この４つの貫通孔２８０と該貫通孔２８０に対応した位置において底面連結片２５６に穿設された貫通孔２８２とを合わせ、該貫通孔２８０および貫通孔２８２に鋲８４の足を嵌挿し、底面板２１６の内側面と底面連結片２５６の外側面とが鋲８４の頭部をもって固定されて、第１箱部材２２０の底面板２１６と第２箱部材２２８の底面連結片２５６とが固着されている。
したがって、底面板２１６は、その内側面をほぼ全面に亘って重ね合わされた底面連結片２５６とによる二重底を構成している。
そのために、より底面板２１６が強固となり、多少重量のあるものをこのボックスファイル２１０に収容してもその重量に耐えることができる。
【００５６】
そして、第１箱部材２２０の正面連結片２４８（第１正面連結片２４８ａ）及び背面連結片２５２（２５２ａ）と第２箱部材２２８の第１側面板２２２の側面主板２２２Ａとは固定され、且つ第１箱部材２２０の正面連結片２４８（第２正面連結片２４８ｂ）及び背面連結片２５２（第２背面連結片２５２ｂ）と第２箱部材２２８の第２側面板２２４とが分離された状態で折り畳まれる。
【００５７】
正面板２１４の第１正面連結片２４８ａの右側縁近傍には、貫通孔２６０ａが穿設され、且つ正面板２１４の第２正面連結片２４８ｂの左側縁近傍には、貫通孔２６０ｂが穿設されている。
【００５８】
背面板２１８の第１背面連結片２５２ａの右側縁近傍には、高さ方向に分かれて適宜な間隔をおいて２つの貫通孔２６６ａおよび貫通孔２６８ａが穿設され、且つ背面板２１８の第２背面連結片２５２ｂの左側縁近傍には、高さ方向に分かれて適宜な間隔をおいて２つの貫通孔２６６ｂおよび貫通孔２６８ｂが穿設されている。
【００５９】
また、第１側面板２２２は、折曲線２２２Ｃを挟んで２箇所に分かれ、側面主板２２２Ａの正面辺２２２ａ近傍においておよび側面折り返し片２２２Ｂの正面辺２２２ａ近傍において貫通孔２６２ａおよび貫通孔２６２ｂが穿設され、且つ第２側面板２２４は、折曲線２２４Ｃを挟んで２箇所に分かれ、側面主板２２４Ａの正面辺２２４ａ近傍及び側面折り返し片２２２Ｂの正面辺２２４ａ近傍において貫通孔２６４ａおよび貫通孔２６４ｂが穿設されている。
貫通孔２６２ａは、底面辺２２２ｂより適宜な高さ位置に形成され、貫通孔２６２ｂは、折曲線２２２Ｃで側面折り返し片２２２Ｂを折り返したとき前記貫通孔２６２ａと重なり合う位置に形成されている。
すなわち、貫通孔２６２ａと２６２ｂとを結ぶ線は折曲線２２２ｅと直交し、貫通孔２６２ａ及び貫通孔２６２ｂは、貫通孔２６２ａと２６２ｂとを結ぶ線と折曲線２２２Ｃとの交点から等距離にある。
また、貫通孔２６４ａは、底面辺２２４ｂより適宜な高さ位置に形成され、貫通孔２６４ｂは、折曲線２２４Ｃで側面折り返し片２２４Ｂを折り返したとき前記貫通孔２６４ａと重なり合う位置に形成されている。
すなわち、貫通孔２６４ａと２６４ｂとを結ぶ線は折曲線２２４Ｃと直交し、貫通孔２６４ａ及び貫通孔２６４ｂは、貫通孔２６４ａと２６４ｂとを結ぶ線と折曲線２２４Ｃとの交点から等距離にある。
【００６０】
第２箱部材２２８は、第１側面板２２２Ａの背面辺２２２ｃ近傍において、その高さ方向に適宜な間隔をおいて２箇所に分かれ貫通孔２７０ａと貫通孔２７０ｂとが形成され、且つ側面折り返し片２２２Ｂの第２端縁２２２ｈの近傍において、その高さ方向に適宜な間隔をおいて２箇所に分かれ貫通孔２７２ａと貫通孔２７２ｂとが形成されている。
すなわち、貫通孔２７０ａと貫通孔２７２ａとを結ぶ線は折曲線２２２Ｃと直交し、貫通孔２７０ａ及び貫通孔２７２ａは、貫通孔２７０ａと貫通孔２７２ａとを結ぶ線と折曲線２２２Ｃとの交点から等距離にある。
また、貫通孔２７０ｂと貫通孔２７２ｂとを結ぶ線は、折曲線２２２Ｃと直交し、貫通孔２７０ｂ及び貫通孔２７２ｂは、貫通孔２７０ｂと貫通孔２７２ｂとを結ぶ折曲線２２２Ｃとの交点から等距離にある。
同様に、第２箱部材２２８は、第２側面板２２４Ａの背面辺２２４ｃ近傍において、その高さ方向に適宜な間隔をおいて２箇所に分かれ貫通孔２７４ａと貫通孔２７４ｂとが形成され、且つ側面折り返し片２２４Ｂの第２端縁２２４ｈの近傍において、その高さ方向に適宜な間隔をおいて２箇所に分かれ貫通孔２７６ａと貫通孔２７６ｂとが形成されている。
すなわち、貫通孔２７４ａと貫通孔２７６ａとを結ぶ線は折曲線２２４Ｃと直交し、貫通孔２７４ａ及び貫通孔２７６ａは、貫通孔２７４ａと貫通孔２７６ａとを結ぶ線と折曲線２２４Ｃとの交点から等距離にある。
また、貫通孔２７４ｂと貫通孔２７６ｂとを結ぶ線は、折曲線２２４Ｃと直交し、貫通孔２７４ｂ及び貫通孔２７６ｂは、貫通孔２７４ｂと貫通孔２７６ｂとを結ぶ折曲線２２４Ｃとの交点から等距離にある。
【００６１】
そして、組み立てられたとき、第１箱部材２２０の背面連結片２５２ａの貫通孔２６６ａ及び２６８ａは、第２箱部材２２８の第１側面板２２２Ａの貫通孔２７０ａ及び２７０ｂと重なり合う位置に形成され、且つ、折り返された第１側面折り返し片２２２Ｂの貫通孔２７２ａ及び２７２ｂと重なり合う位置に形成されている。
また、組み立てられたとき、第１箱部材２２０の背面連結片２５２ｂの貫通孔２６６ｂ及び２６８ｂは、第２箱部材２２８の第２側面板２２４Ａの貫通孔２７４ａ及び２７４ｂと重なり合う位置に形成され、且つ、折り返された第２側面折り返し片２２４Ｂの貫通孔２７６ａ及び２７６ｂと重なり合う位置に形成されている。
【００６２】
そして、このボックスファイル２１０を組み立てる時に、第１側面板２２２を第１箱部材２２０に取り付けるためには、第１箱部材２２０の正面板２１４の第１正面連結片２４８ａの外側面に第２箱部材２２８の第１側面板２２２の外側面を重ね合わせ、且つ正面板２１４の第１正面連結片２４８ａの貫通孔２６０ａと第１側面板２２２の第１側面主板２２２Ａの貫通孔２６２ａおよび貫通孔２６２ｂとを合わせ、別途準備した固着具９０によって第１側面板２２２が正面板２１４および背面板２１８の右側縁からはみ出さず揃う位置において固定する。
【００６３】
また、第１側面板２２２を第１箱部材２２０に取り付けるためには、第１箱部材２２０の背面板２１８の背面連結片２５２ａの外側面に第２箱部材２２８の第１側面板２２２の外側面を重ね合わせ、且つ背面板２１８の背面連結片２５２ａの貫通孔２６６ａおよび貫通孔２６８ａと第１側面板２２２の第１側面主板２２２Ａの貫通孔２７０ａおよび貫通孔２７０ｂとを合わせ、且つ第１側面折り返し片２２２Ｂの貫通孔２７２ａ及び２７２ｂとを合わせて、別途準備した固着具９０によって第２側面板２２４が正面板２１４および背面板２１８の右側縁からはみ出さず揃う位置において固定する。
【００６４】
更に、第２箱部材２２８の側面主板２２２Ａの内側面に第１箱部材２２０の第１正面連結片２４８ａの外側面を重ね合わせた上に、且つ側面折り返し片２２２Ｂを折曲線２２２Ｃで折り曲げ、側面主板２２２Ａの内側面及び第１正面連結片２４８ａの内側面に接合し、第１側面板２２２の貫通孔２６２ａおよび貫通孔２６２ｂと第１正面連結片２４８ａの貫通孔２６０ａと第１背面連結片２５２ａの貫通孔２６６ａ及び２６８ａとを合わせ、正面板２１４の右端縁が第１側面板２２２の右端縁よりはみ出さず揃う位置において、貫通孔２６２ａおよび貫通孔２６２ｂと貫通孔２６０ａと貫通孔２６６ａ及び貫通孔２６８ａと貫通孔２７０ａ、２７０ｂ、２７２ａ及び２７２ｂに固着具９０を嵌挿して、側面主板２２２Ａと第１正面連結片２４８ａと第１背面連結片２５２ａと側面折り返し片２２２Ｂとを固着する。
【００６５】
また、第２箱部材２２８の第１側面主板２２４Ａの内側面に第１箱部材２２０の第２正面連結片２４８ｂの外側面を重ね合わせた上に、第１側面折り返し片２２４Ｂを折曲線２２４Ｃで折り曲げ、第１側面主板２２４Ａの内側面及び第２正面連結片２４８ｂの内側面に接合し、第１側面主板２２２Ａの貫通孔２６４ｂおよび貫通孔２６４ｂと第２正面連結片２４８ｂの貫通孔２６０ｂと第２背面連結片２５２ｂの貫通孔２６６ｂ及び２６８ｂとを合わせ、正面板２１４の右端縁が第１側面板２２２の右端縁よりはみ出さず揃う位置において、貫通孔２６４ａおよび貫通孔２６４ｂと貫通孔２６０ｂと貫通孔２６６ｂ及び貫通孔２６８ｂと貫通孔２７４ａ、２７４ｂ、２７６ａ及び２７６ｂとに固着具９０を嵌挿して、側面主板２２４Ａと第２正面連結片２４８ｂと第２背面連結片２５２ｂと第２側面折り返し片２２４Ｂとを固着する。
【００６６】
固着具９０は、図１５ないし１６において示すように、平面円形状で半球状の頭部９２の中央より円柱状脚部９４が突出され、脚部９４の先端に２つ割りになった先端を有する球状の膨出部９６が形成された鋲９８と、該鋲９８の脚部９４に嵌合される固着片１００とからなる。
固着片１００は、その中央に前記鋲９８の膨出部９６より小さな径の貫通孔１０２が形成され、膨出部９６の２つ割り状になった部位の間隔を縮めるようにして貫通孔１０２に膨出部９６を嵌挿し、固着具９０の脚部９４に嵌め込むように構成されている。
嵌挿された鋲９８の膨出部９６は、固着片１００の貫通孔１０２の周縁の台座１０４に固定される。
【００６７】
この実施の形態においては、折り畳み時には、第１箱部材２２０の底面板２１６と第２箱部材２２８の底面連結片２５６とを鋲８４で固着し、且つ、第１箱部材２２０正面板２１４の第１正面連結片２４８ａと第１側面板２２２の側面主板２２２Ａ及び側面折り返し片２２２Ｂとが固着具９０で固着されるとともに第１箱部材２２０の背面板２１８の第１背面連結片２５２ａと第２側面板２２２の側面主板２２２Ａ及び側面折り返し片２２２Ｂとが固着具９０で固着されており、第１箱部材２２０の正面板２１４の第２正面連結片２４８ｂと第２側面板２２４の側面主板２２４Ａ及び背面板２１８の第２背面連結片２５２ｂと第２側面板２２４の側面主板２２４Ａとが分離された状態に組み立てられたノックダウン型とされている。
折り畳み時には、第１箱部材２２０の斜め折曲線２５４ａ，２５４ｂを内折り、すなわち、第２側面板２２４に正面板２１４及び背面板２１８が重ね合わされるように折り曲げ、且つ第１箱部材２２０の正面板２１４の折曲線２４６ｂと背面板２１８の折曲線２５０ａを内折り、すなわち、正面板２１４と背面板２１８の内面を第２箱部材２２８の内面とが対向するように折り曲げて、コンパクトな形状とする。
一方、使用者が折り畳み状態にあるボックスファイル２１０を組み立てて用いるときは、第１側面板２２２を手前に引き、正面板２１４及び背面板２１８を起こして、底面板２１６より垂直に立てる。
そして、前記したように、第２側面板２２４と正面板２１４の第２正面連結片２４８ｂ及び背面板２１８の第２背面連結片２５２ｂとを固着具９０で固着すれば、ボックス型となり、組み立てが完了する。
【００６８】
次に、この第１箱部材２２０および第２箱部材２２８の製法について、主として図３５ないし図３８に基づいて説明する。
まず、第２箱部材２２８について説明すると、第２箱部材２２８を構成する第１側面主板２２２Ａ及び第２側面主板２２４Ａに対応した側面主板領域２２２Ｘ及び２２４Ｘと、底面連結片２５６に対応した底面連結片領域２５６Ｘと、第１側面折り返し片２２２Ｂ及び第２側面折り返し片２２４Ｂに対応した折り返し片領域２２２Ｙ及び２２４Ｙを合わせた形状のチップボール製芯材２３０を準備する（図３５参照）。
そして、その芯材２３０の表面に綿生地からなり芯材２３０より外側に同一の幅ではみ出る略長方形の（芯材２３０と相似形の）表装材２３２を準備し、該表装材２３２を芯材２３０の表面に接合接着し、且つ芯材２３０の周縁より裏面に亘って芯材２３０をくるむように表装材２３２の端縁近傍を折り返し、芯材２３０の裏面に貼着する（図３６参照）。
さらに、表装材２３２は、芯材２３０の端縁よりわずかに内側に入った位置にまで貼られているので、芯材２３０の裏面側と表装材２３２の外周縁とを覆うように、見返し紙２３４を表装材２３２の裏面側を含め貼着する（図３７参照）。
【００６９】
次に、芯材２３０を第１側面主板２２２Ａ及び第２側面主板２２４Ａと底面連結片２５６と第１側面折り返し片２２２Ｂ及び第２側面折り返し片２２４Ｂとに区画するために、折曲線２２２Ｃ，２２４Ｃ，２５８ａ及び２５８ｂをそれぞれが平行となるように入れるとともに貫通孔２８２，２６２ａ，２６２ｂ，２６４ａ，２６４ｂ，２７０ａ，２７０ｂ，２７２ａ，２７２ｂ，２７４ａ，２７４ｂ，２７６ａ，２７６ｂを穿設する。
折曲線２２２Ｃ，２２４Ｃ、２５８ａ及び２５８ｂは、表装材２３２が貼着された芯材２３０の表面側から裏面側に向けて、トムソン刃３１０によって型押しして細い筋を凹設することにより、比較的硬質の芯材２３０を内側（裏面側）に折り曲げるための折曲線２２２Ｃ，２２４Ｃ，２５８ａ及び２５８ｂが形成される（図３８参照）。
而して、第２箱部材２２８が完成する。
【００７０】
第１箱部材２２０は、プラスチック板により製造するが、正面板２１４、底面板２１６、背面板２１８、正面連結片２４８及び背面連結片２５２とを合わせた大きさよりも大きなプラスチック板を準備する。
そして、プラスチック板をトムソン加工によって正面板２１４、底面板２１６、背面板２１８、正面連結片２４８及び背面連結片２５２を合わせた大きさに裁断するとともに、正面連結片２４８及び背面連結片２５２を形成するために、折曲線２４６および２５０を入れるトムソン加工を施すとともに貫通孔２６０ａ，２６０ｂ，２６６ａ，２６６ｂ，２６８ａ，２６８ｂを穿設する穿孔加工も同時に施す。
折曲線２３６，２３８及び２５４は、表面側から裏面側に向けて、トムソン刃３１０によって型押しして細い筋を凹設することにより、プラスチック板を内側（裏面側）に折り曲げるための折曲線２３６，２３８及び２５４が形成される。
【００７１】
前記実施の形態（図４図示）においては、底面連結片５６は、一体的に形成されたが、第１側面板２２側に第１の底面連結片と第２側面板２４側に第２の底面連結片とがそれぞれ分離して成形され、第１箱部材２０の底面板１６の中央付近で分離された底面連結片５６の内側端縁が向き合うようにして、底面板１６の内側面に固着されるようにしてもよい。
【図面の簡単な説明】
【００７２】
【図１】この発明の一実施の形態であるボックスファイルの斜視図解図である。
【図２】図１図示Ａ−Ａ断面図である。
【図３】第１箱部材の平面図解図である。
【図４】第２箱部材の平面図解図である。
【図５】第１箱部材と第２箱部材とを組み合わせた状態の斜視図解図である。
【図６】ボックスファイルの組み立て方を示す斜視図解図である。
【図７】ボックスファイルの組み立て方を示す斜視図解図である。
【図８】ボックスファイルの組み立て方を示す斜視図解図である。
【図９】ボックスファイルの折り畳んだ状態を示す斜視図解図である。
【図１０】ボックスファイルの折り畳んだ状態を示す斜視図解図である。
【図１１】第１箱部材と第２箱部材との固定の方法を示す斜視図解図である。
【図１２】第１箱部材と第２箱部材との固定の方法を示す斜視図解図である。
【図１３】固着具による固着の方法を示す斜視図解図である。
【図１４】固着具による固着の方法を示す斜視図解図である。
【図１５】固着具の断面図解図である。
【図１６】固着具の断面図解図である。
【図１７】第１箱部材の製造方法を示す斜視図解図である。
【図１８】第１箱部材の製造方法を示す斜視図解図である。
【図１９】第１箱部材の製造方法を示す斜視図解図である。
【図２０】第１箱部材の製造方法を示す断面図解図である。
【図２１】この発明の一実施の形態であるボックスファイルの斜視図解図である。
【図２２】図２１図示ボックスファイルを背面から見た斜視図解図である。
【図２３】図２１図示B−B断面図である。
【図２４】図２１図示C−C断面図である。
【図２５】第１箱部材の平面図解図である。
【図２６】第２箱部材の平面図解図である。
【図２７】第１箱部材と第２箱部材とを組み合せた状態の斜視図解図である。
【図２８】ボックスファイルの組み立て方を示す斜視図解図である。
【図２９】ボックスファイルの組み立て方を示す斜視図解図である。
【図３０】ボックスファイルの組み立て方を示す斜視図解図である。
【図３１】ボックスファイルの組み立て方を示す斜視図解図である。
【図３２】ボックスファイルの折り畳んだ状態を示す斜視図解図である。
【図３３】ボックスファイルの折り畳んだ状態を示す斜視図解図である。
【図３４】ボックスファイルの折り畳んだ状態を示す斜視図解図である。
【図３５】第２箱部材の製造方法を示す斜視図解図である。
【図３６】第２箱部材の製造方法を示す斜視図解図である。
【図３７】第２箱部材の製造方法を示す斜視図解図である。
【図３８】第２箱部材の製造方法を示す断面図解図である。
【符号の説明】
【００７３】
１０，２１０  ボックスファイル
１２，２１２  開口部
１４，２１４  正面板
１４Ａ  正面主板
１４Ｂ  正面折り返し片
１４Ｃ  折曲線
１４Ｘ  正面板領域
１６，２１６  底面板
１６Ｘ  底面板領域
１８，２１８  背面板
１８Ａ  背面主板
１８Ｂ  背面折り返し片
１８Ｃ  折曲線
１８Ｘ  背面板領域
２０，２２０  第１箱部材
２２，２２２  第１側面板
２２２Ａ  第１側面主板
２２２Ｂ  第１側面折り返し片
２２２Ｃ  折曲線
２４，２２４  第２側面板
２２４Ａ  第２側面主板
２２４Ｂ  第２側面折り返し片
２２４Ｃ  折曲線
２６，２２６  連結片
２８，２２８  第２箱部材
３０，２３０  芯材
３２，２３２  表装材
３４，２３４  見返し紙
３６，２３６  折曲線（正面板と底面板との間）
３８，２３８  折曲線（背面板と底面板との間）
４６  折曲線
４６ａ  第１側面板の折曲線
４６ｂ  第２側面板の折曲線
４８  正面連結片
４８ａ  第１側面板の正面連結片
４８ｂ  第２側面板の正面連結片
４８ｃ，４８ｄ  上端縁
５０  折曲線
５０ａ  第１側面板の折曲線
５０ｂ  第２側面板の折曲線
５２  背面連結片
５２ａ  第１側面板の背面連結片
５２ｂ  第２側面板の背面連結片
５４  折曲線
５４ａ  第１側面板の折曲線
５４ｂ  第２側面板の折曲線
５６，２５６  底面連結片
５６ａ  正面側端縁
５６ｂ  背面側端縁
５８  折曲線
５８ａ  第１側面板の折曲線
５８ｂ  第２側面板の折曲線
６０ａ，６０ｂ  正面主板の貫通孔
６２ａ，６２ｂ  正面折り返し片の貫通孔
６４ａ  第１側面板の貫通孔
６４ｂ  第２側面板の貫通孔
６６ａ  第１側面板の貫通孔
６６ｂ  第２側面板の貫通孔
６８ａ，６８ｂ  背面主板の貫通孔
７０ａ，７０ｂ  背面折り返し片の貫通孔
７２ａ  第１側面板の貫通孔
７２ｂ  第２側面板の貫通孔
７４ａ  第１側面板の貫通孔
７４ｂ  第２側面板の貫通孔
８０  貫通孔
８２  貫通孔
８４  鋲
９０  固着具
９２  頭部
９４  脚部
９６  膨出部
９８  鋲
１００  固着片
１０２  貫通孔
１０４  台座
１１０  トムソン刃
２１６ａ  右端縁
２１６ｂ  左端縁
２２２ａ，２２４ａ  正面辺
２２２ｂ，２２４ｂ  底面辺
２２２ｃ，２２４ｃ  背面辺
２２２ｄ，２２４ｄ  開口辺
２２２ｅ，２２４ｅ  水平辺
２２２ｆ，２２４ｆ  斜行辺
２２２ｇ，２２４ｇ  第１端縁
２２２ｈ，２２４ｈ  第２端縁
２３８（２３８ａ，２３８ｂ）  折曲線
２４６（２４６ａ，２４６ｂ）  折曲線（正面板と側面連結片との間）
２５０（２５０ａ，２５０ｂ）  折曲線（背面板と側面連結片との間）
２４８  正面連結片
２４８ａ  第１正面連結片
２４８ｂ  第２正面連結片
２４８ｃ  傾斜端縁
２５２  背面連結片
２５２ａ  第１背面連結片
２５２ｂ  第２背面連結片
２５２ｃ  傾斜端縁
２５４  （底面板）折曲線
２５４ａ  第１斜め折曲線
２５４ｂ  第２斜め折曲線
２５６ａ  右端縁
２５６ｂ  左端縁
２５８ａ，２５８ｂ  第２箱部材の折曲線
２６０ａ，２６０ｂ  第１箱部材の正面連結片の貫通孔
２６２ａ，２６２ｂ  第２箱部材の貫通孔
２６４ａ，２６４ｂ  第２箱部材の貫通孔
２６６ａ，２６６ｂ  第１箱部材の背面連結片の貫通孔
２６８ａ，２６８ｂ  第１箱部材の背面連結片の貫通孔
２７０ａ，２７０ｂ  第２箱部材の貫通孔
２７２ａ，２７２ｂ  第２箱部材の貫通孔
２７４ａ，２７４ｂ  第２箱部材の貫通孔
２７６ａ，２７６ｂ  第２箱部材の貫通孔
２８０  第１箱部材の底面板の貫通孔
２８２  第２箱部材の底面連結片の貫通孔
２２２Ｘ，２２４Ｘ  側面主板領域
２２２Ｙ，２２４Ｙ  折り返し片領域
２５６Ｘ  底面連結片領域
【図１】
2006026985.tif 000003
【図２】
2006026985.tif 000004
【図３】
2006026985.tif 000005
【図４】
2006026985.tif 000006
【図５】
2006026985.tif 000007
【図６】
2006026985.tif 000008
【図７】
2006026985.tif 000009
【図８】
2006026985.tif 000010
【図９】
2006026985.tif 000011
【図１０】
2006026985.tif 000012
【図１１】
2006026985.tif 000013
【図１２】
2006026985.tif 000014
【図１３】
2006026985.tif 000015
【図１４】
2006026985.tif 000016
【図１５】
2006026985.tif 000017
【図１６】
2006026985.tif 000018
【図１７】
2006026985.tif 000019
【図１８】
2006026985.tif 000020
【図１９】
2006026985.tif 000021
【図２０】
2006026985.tif 000022
【図２１】
2006026985.tif 000023
【図２２】
2006026985.tif 000024
【図２３】
2006026985.tif 000025
【図２４】
2006026985.tif 000026
【図２５】
2006026985.tif 000027
【図２６】
2006026985.tif 000028
【図２７】
2006026985.tif 000029
【図２８】
2006026985.tif 000030
【図２９】
2006026985.tif 000031
【図３０】
2006026985.tif 000032
【図３１】
2006026985.tif 000033
【図３２】
2006026985.tif 000034
【図３３】
2006026985.tif 000035
【図３４】
2006026985.tif 000036
【図３５】
2006026985.tif 000037
【図３６】
2006026985.tif 000038
【図３７】
2006026985.tif 000039
【図３８】
2006026985.tif 000040